(57)【要約】【課題】キャップに予備吐出されたインクが増粘・固着するものである場合を検知してキャップ内を空吸引する。これによりキャップ内でインクが増粘しまたは固着することを抑制する。【解決手段】２以上のインク吐出部を吸引するためのキャップと、前記インク吐出部の回復を行なうために前記キャップに予備吐出を行う予備吐出手段と、を備えたインクジェット記録装置であって、前記キャップ内に予備吐出したインクの種類を判定し、２以上の種類のインクの予備吐出が同時または前後に行われた場合、前記キャップを空吸引する。【選択図】図３
2009072970.tif 000002
【特許請求の範囲】
【請求項１】
２以上のインク吐出部を吸引するためのキャップと、前記インク吐出部の回復を行なうために前記キャップに予備吐出を行う予備吐出手段と、を備えたインクジェット記録装置であって、
前記キャップ内に予備吐出したインクの種類を判定し、２以上の種類のインクの予備吐出が同時または前後に行われた場合、前記キャップを空吸引することを特徴とするインクジェット記録装置。
【請求項２】
前記キャップに予備吐出された予備吐出回数を記憶する記憶手段を備え、前記予備吐出の累積回数が、所定回数を超えると前記キャップを空吸引することを特徴とする請求項１に記載のインクジェット記録装置。
【請求項３】
前記２以上のインクは顔料インクと染料インクのいずれも含むことを特徴とする請求項１または請求項２に記載のインクジェット記録装置。
【請求項４】
前記顔料インクはブラックインクであり、前記染料インクはカラーインクであることを特徴とする請求項３に記載のインクジェット記録装置。
【請求項５】
２以上のインク吐出部を吸引するためのキャップと、前記インク吐出部の回復を行なうために前記キャップに予備吐出を行う予備吐出工程と、を備えたインクジェット記録装置の回復方法であって、
前記キャップ内に予備吐出したインクの種類を判定し、２以上の種類のインクの予備吐出が同時または前後に行われた場合、前記キャップを空吸引することを特徴とする回復方法。
【請求項６】
前記キャップに予備吐出された予備吐出回数を記憶する記憶工程を備え、前記予備吐出の累積回数が、所定回数を超えると前記キャップを空吸引することを特徴とする請求項５に記載の回復方法。
【請求項７】
前記２以上のインクは顔料インクと染料インクのいずれも含むことを特徴とする請求項５または請求項６に記載の回復方法。
【請求項８】
前記顔料インクはブラックインクであり、前記染料インクはカラーインクであることを特徴とする請求項７に記載の回復方法。
【発明の詳細な説明】
【技術分野】
【０００１】
本発明は、インクジェット記録装置および回復方法に関し、特にブラックインクとカラーインクを用いるインクジェット記録装置および回復方法に関する。
【背景技術】
【０００２】
インクジェット記録装置は、低騒音、低ランニングコスト、小型化およびカラー化が容易であるなどの利点を有することから、プリンタ、ファックス、複写機等へ適用されている。インクジェット記録装置で用いられる記録手段としての記録ヘッドは、インクを吐出するための吐出口を備えている。一般には、ノズルの端部開口からインクが吐出され、吐出口の役割を果たしている。
【０００３】
インクジェット記録装置では、一般に、記録データに基づいた、パーソナルコンピュータなどのホスト装置から送られる吐出信号に応じて、記録ヘッドを駆動させながら吐出口からインク滴を記録媒体に吐出させる。このような吐出口の大きさは、例えば円形のもので直径が数十μ程度であり、近年では記録する画像等の高画質化とともにより小さくなり、高密度化されつつある。この記録ヘッドの構成は、最近の記録画像の高品位化、例えば黒色文字等の濃度向上、カラー化、高精細（高解像度）化、耐水性向上等に対応したものであることが求められている。
【０００４】
一般に、シリアル方式のインクジェット記録装置は、記録ヘッドをキャリッジに搭載する。そして、記録媒体の搬送方向（副走査方向）に対して直交する主走査方向にキャリッジを往復移動させながら記録ヘッドからインクを吐出して記録用紙などの記録媒体にドットを形成して記録を行う。
【０００５】
図４は、記録ヘッドの例を示す図である。この記録ヘッドでは、上述した記録の高品位化の要求を満たし、しかもそれを廉価に実現することができる。
【０００６】
記録ヘッド３の吐出口面１７には、ブラックインクの吐出口列１３、イエローインクの吐出口列１４、マゼンタインクの吐出口列１５およびシアンインクの吐出口列１６が、記録ヘッドの走査方向に並列状態で形成されている。各吐出口列における吐出口のピッチは、６００ｄｐｉ（ｄｏｔ ｐｅｒ ｉｎｃｈ）相当である。この記録ヘッドによる記録を行なう際には、所定の記録領域あたり、２回の走査を行なって画像を記録することにより１２００ｄｐｉ相当の画像が形成される。このように、記録ヘッドのコンパクト化、ひいては装置のコンパクト化を図るため、吐出口列相互間のピッチも小さく比較的高密度に構成されている。
【０００７】
また、高記録品位の要求に応じた記録ヘッドの構成として、耐水性の向上や色間の滲み防止などの観点から、例えば、黒インクと他のカラーインクとの間の化学反応を生じるインクを用い、これにより染料等の不溶化を生じさせるものがある。具体的には、黒インクがカチオン性を有し、他のカラーインクがアニオン性を有するものがある。これによって、両者がイオン的に結合し染料等の色材の不溶化がなされ、耐水性が向上し、また、異なる色のインク間の滲みを防止することができる。
【０００８】
近年は、テキスト文書などの黒文字品位を上げるために、顔料成分を含んだブラックインクと、フォト画像には顔料と反応性のある染料成分を含んだカラーインクとの組み合わせにより、ブラックとカラー間のインク間の滲みを防止しているものもある。
【０００９】
ところで、インクジェット記録装置は、上記のような微小な吐出口からインクを吐出させるものであるため、吐出口近傍のインクは湿度等の環境に左右され易い。例えば、乾燥して固着してしまった場合は、正規のタイミングでインクを吐出することが不可能となり、画像品位を著しく劣化させることがある。そこで、このようなインクジェット記録装置においては、記録ヘッドの吐出口面を覆いかつ圧接することができるキャップを記録ヘッドのホームポジションなどに設けている。そして、ホームポジションでは記録ヘッドのフェイスをキャップによって外気から遮断する構成になっている。このようにして、非記録時に記録ヘッドにキャップをし、記録ヘッドのノズル内のインクが蒸発乾燥して増粘、固着するのを防いでいる。
【００１０】
また、このようなインクジェット記録装置においては、吐出口に目詰まりが発生することがある。この目詰まりを防止するために、キャップには負圧発生源であるポンプを接続し、このポンプを定期的に動作させることでキャップ内を負圧にしている。そして、吐出口からインクを故意に定期的に流出させるようにしている。負圧を発生させるためのポンプ方式としては、ピストンの移動を利用するシリンダ方式、キャップに接続されるチューブをローラでしごいてチューブの復元力を利用するチューブポンプ方式などがある。増粘、固着して吐出不良を起こしたり、ブレードで除去できなかった異物が吐出口面に付着した場合には、キャップに接続された吸引ポンプでノズル内の増粘インクを排出して正常な吐出に回復する回復処理を行っている。
【００１１】
また、記録ヘッドによる記録が終了した段階で、キャップに一定量のインク滴を吐出させてから記録ヘッドにキャップ圧接させてキャッピングを行うように構成されたインクジェット記録装置が知られている（例えば、特許文献１参照）。
【００１２】
また、記録を終了した後で、記録ヘッドがキャップオープン状態にあった時間や記録量などを検出する。そしてその検出結果に基づいて、キャップの内部に所定量のインク滴を吐出させてからキャッピング動作を実行させるインクジェット記録装置が知られている（例えば、特許文献２参照）。
【００１３】
このように、記録を目的としない予備吐出によるインクを貯めるために、キャップを利用することが多い。したがって、キャップ内に予備吐出される方式では、予備吐出量がある量に達した時点で、ポンプを作動させてキャップ内の予備吐出されたインクを吸引して排出させている。
【００１４】
【特許文献１】特開平２−１０２０５８号公報
【特許文献２】特開平４−３３９６６５号公報
【発明の開示】
【発明が解決しようとする課題】
【００１５】
しかしながら、キャップ内に予備吐出される方式では、顔料系のインク（顔料インク）と染料系のインクが同時にまたは、連続して予備吐出される場合、顔料インクと染料インクの反応性が高い。したがって、早期に増粘したり固着することがある。
【００１６】
図５は、記録ヘッド３と記録ヘッド３の回復装置に予備吐出されたインクの状態を説明する説明図である。
【００１７】
図５（ａ）は、記録ヘッド３の回復装置の構成を示す図である。キャップ８の内部にはキャップ内のインクを吸収、保持するキャップ吸収部材９が設置されており、吸収部材９は多孔質材料やスポンジ材料などで形成されている。さらに、キャッピング状態でキャップ８を介して吸引チューブ７から記録ヘッド３を吸引回復する構成になっている。しかしながら、顔料と染料の混合インクがヘッドのキャップ内で増粘、固着堆積し、吸引動作によっては排出除去することが困難なことがある。また、図５（ｃ）に示すように、増粘物が記録ヘッドのフェイス面に付着し、ノズルを塞いでしまい吐出不良を生じることがある。
【００１８】
このようなキャップ内での増粘、固着堆積は、予備吐出された顔料ブラックインクと顔料ブラックインクと相反応する染料イエローインクがキャップ８内で混合した状態で空吸引されるまでの間放置される。そして、図5（b）に示されるようにその間に水分が蒸発する過程で増粘物が形成される。空吸引が実行される１サイクルの間隔は約１５分である場合、１サイクルで形成される増粘物は僅かであっても、繰り返し数百枚の記録媒体の記録を行うと徐々に増粘物が蓄積、堆積する。その結果、図５（c）に示されるようにキャップの上面部まで増粘物が到達することがある。
【００１９】
本発明は以上の点を鑑みてなされたものであり、キャップに予備吐出されたインクが増粘・固着するものである場合を検知してキャップ内を空吸引する。これによりキャップ内でインクが増粘しまたは固着することを抑制することができるインクジェット記録装置および回復方法を提供する。
【課題を解決するための手段】
【００２０】
上記目的を達成するために本発明の記録装置は、２以上のインク吐出部を吸引するためのキャップと、前記インク吐出部の回復を行なうために前記キャップに予備吐出を行う予備吐出手段と、を備えたインクジェット記録装置であって、前記キャップ内に予備吐出したインクの種類を判定し、２以上の種類のインクの予備吐出が同時または前後に行われた場合、前記キャップを空吸引することを特徴とする。
【発明の効果】
【００２１】
以上の構成によれば、キャップに予備吐出されたインクが混合されることを検知することができ、キャップを空吸引することができる。これにより、キャップ内でインクが増粘しまたは固着することを抑制することができる。
【発明を実施するための最良の形態】
【００２２】
以下に図面を参照して本発明における実施形態を詳細に説明する。
（第１実施形態）
（１）装置構成
本実施形態では、インクジェット記録ヘッドを用いた記録装置を例に挙げて説明する。なお、以下「ノズル」（「記録素子」と言う場合もある）とは、特にことわらない限り吐出口ないしこれに連通する液路およびインク吐出に利用されるエネルギーを発生する素子を総括して言うものとする。
【００２３】
図１は、本実施形態におけるインクジェット記録装置１の構成の概要を示す斜視図である。図１に示すように、記録装置１は、記録ヘッド３を搭載したキャリッジ２を備えている。また、キャリッジ２には、記録ヘッド３に供給するインクを貯留するインクカートリッジ６が装着されている。インクカートリッジ６はキャリッジ２に対して着脱自在に搭載されている。記録装置１はカラー記録が可能であり、そのためにキャリッジ２にはマゼンタ（Ｍ）、シアン（Ｃ）、イエロー（Ｙ）、ブラック（Ｋ）のインクを夫々収容した４つのインクカートリッジが搭載されている。これら４つのインクカートリッジは夫々独立に着脱可能である。
【００２４】
記録ヘッド３は、インクジェット方式によりインクを吐出して記録を行う。キャリッジ２には、キャリッジモータＭ１によって発生する駆動力を伝達機構４により伝えられる。そして、キャリッジ２は矢印Ａ方向に往復移動される。また、記録用紙などの記録媒体Ｐは、給紙機構５を介して給紙され、記録位置まで搬送される。その後、その記録位置において記録ヘッド３から記録媒体Ｐにインクを吐出されることで記録が行なわれる。
【００２５】
また、記録ヘッド３の吐出状態を良好に維持するために、キャリッジ２を回復装置１０の位置まで移動させ、間欠的に記録ヘッド３の吐出回復処理を行う。
【００２６】
キャリッジ２と記録ヘッド３とは、両部材の接合面が適正に接触されて所要の電気的接続を達成維持できるようになっている。記録ヘッド３は、記録信号に応じてエネルギーを印加することにより、複数の吐出口からインクを選択的に吐出して記録する。特に、本実施形態の記録ヘッド３は、熱エネルギーを利用してインクを吐出するインクジェット方式を採用し、熱エネルギーを発生するために電気熱変換体を備える。電気熱変換体に印加される電気エネルギーが熱エネルギーへと変換される。そして、その熱エネルギーをインクに与えることにより生じる膜沸騰による気泡の成長、収縮によって生じる圧力変化を利用して、吐出口よりインクを吐出させる。この電気熱変換体は各吐出口のそれぞれに対応して設けられ、記録信号に応じて対応する電気熱変換体にパルス電圧を印加することによって対応する吐出口からインクを吐出する。
【００２７】
また、記録装置１には記録ヘッド３を搭載するキャリッジ２の記録動作のための往復動作の範囲外（記録領域外）の所望位置（例えば、ホームポジションに対応する位置）に、記録ヘッド３の吐出不良を回復するための回復装置１０が配設されている。
【００２８】
回復装置１０は、記録ヘッド３のインク吐出部である吐出口面をキャッピングするキャッピング機構１１と記録ヘッド３の吐出口面をクリーニングするワイピング機構１２を備えている。そして、キャッピング機構１１による吐出口面のキャッピングに連動して回復装置内の吸引手段（吸引ポンプ等）により吐出口からインクを強制的に排出させる。それによって、記録ヘッド３のインク流路内の粘度の増したインクや気泡等を除去するなどの吐出回復処理を行う。
【００２９】
また、非記録動作時等には、記録ヘッド３の吐出口面をキャッピング機構１１によるキャッピングすることによって、記録ヘッド３を保護するとともにインクの蒸発や乾燥を防止することができる。一方、ワイピング機構１２はキャッピング機構１１の近傍に配され、記録ヘッド３の吐出口面に付着したインク液滴を拭き取るようになっている。
【００３０】
これらキャッピング機構１１及びワイピング機構１２により、記録ヘッド３のインク吐出状態を正常に保つことが可能となっている。
【００３１】
図２は、本実施形態における記録装置の制御構成を示すブロック図である。CPU２００は、所定の演算、計数（カウント）、比較、判別、及び制御などの動作を行う。ROM２０１はＣＰＵ２００により実行すべき制御プログラムなどを格納する。また、RAM２０２はホストコンピュータから送出されるデータなどを格納するデータメモリ及びＣＰＵによって演算処理を実行するためのワーキングメモリとして機能する。ROM２０１およびRAM２０２はそれぞれＣＰＵ２００に接続されており、各部の制御を行うものとなっている。
【００３２】
ＣＰＵ２００には、記録ヘッド３内に設けられたヒータ７１を駆動するヒータドライバ７１Aが接続されている。また、CPU２００には、キャリッジ２の駆動源であるキャリッジモータ３１のモータドライバ５１A、記録媒体の搬送駆動源であるＰＦモータ２１のモータドライバ２１A等が接続されている。
【００３３】
そして、ＣＰＵ２００は、画像データに基づく吐出用ヒータの駆動データ及び駆動制御信号（ヒートパルス信号）をヒータドライバ７１Aに供給することにより記録ヘッド３からインク滴を吐出させる吐出制御を行う。また、記録動作を制御する記録制御手段として機能すると共に、予備吐出動作を制御する予備吐出制御手段等としても機能する。
【００３４】
（２）インクの説明
次に、本実施形態において使用するインクおよび色材等の例を説明する。本実施形態では、ブリードを抑制する目的としたインクを用いると廃インク吸収体において、色材が析出するようなインクにおいて、より優れた効果を発揮することができる。このような現象が生じる原因あるいは要因は、以下に説明する、色材単体の特徴、色材と溶剤との関係、混合状態の新たな現象などを挙げることができる。ただし、本実施形態はこのようなインクに限定するものではない。
【００３５】
ブリードを抑制するためのインクとは、例えば、色材として、親水性を有する官能基を直接若しくは他の原子団を介して結合している自己分散顔料（カーボンブラック等）を用いる。さらに複数の水溶性有機溶剤として少なくとも１種類が、この顔料の分散安定性を低下させる特性を有する貧溶媒である水溶性有機溶剤を用いたものである（第１のインク）。上記のようなインクを記録媒体に付与した場合、水分が蒸発するにつれ顔料に対する貧溶媒の比率が高まるため、記録媒体の上層部で顔料同士が凝集し始める。その結果、単体としても周辺に他のインクがあってもブリードを抑制できる効果がある。さらに第１のインクの色材としては、顔料表面に結合させる親水性を有する基の顔料表面に対し高密度とした顔料を色材として使用する場合、以下の現象が顕著になる。すなわち、上記利点と廃インク吸収体上で色材が固着し、廃インク吸収体の吸収性能が極端に低下する現象が共により顕著になる。この場合、色材構造による立体障害の影響により、従来の自己分散顔料に比べてインク中の溶剤が顔料と溶媒和しにくくなり、わずかな水分蒸発で顔料の分散安定性が低下する傾向を示す。その結果、ブリードをより緩和させる効果がある。
【００３６】
更に、水の蒸発に伴い増粘や粒径が増大するインク、より具体的には、液体から水分が４０％蒸発した時に、蒸発前後での平均粒径が２５％以上変化してしまうインクなどはブリードをより緩和させることが可能となる。なお、粒径は、例えば、濃厚系粒径アナライザＦＰＡＲ−１０００（商品名；大塚電子社製）により、希釈を行わずに粒径を測定することにより簡単に確認できる。
【００３７】
顔料ブラックインクと染料カラーインクを混ぜて粘度を測定した場合に、その粘度が顔料ブラックインクと染料カラーインクの粘度のいずれよりも高くなるようなインクであるような場合にはブリードをより緩和させる効果がある。このような染料カラーインクの例を示す。例えば、染料カラーインク中に、顔料ブラックインク中に含まれる顔料に対する貧溶媒となる溶剤を含有させた場合、さらには、色材として端部にベンゼン環を有する構造をもつ色材を少なくとも色材として有するインク等が挙げられる。端部にベンゼン環を有する構造をもつ色材は、一般的に顔料へ吸着しやすい性質を持つ。このような染料カラーインクが顔料インクと混合した場合、顔料の分散安定性を阻害する。以下では、このような染料インクのことを顔料ブラックインクと相反応する染料カラーインクと表現する。
【００３８】
また、第１のインクと第２のインクを混ぜて粘度を測定した場合に、その粘度が第１のインクと第２のインクの粘度のいずれよりも高くなるような第１のインクと第２のインクであるような場合にはブリードをより緩和させる効果がある。
【００３９】
廃インクからの蒸発の度合いは、例えば、廃インクチューブ等の材質、チューブ内径の他、一回当たりの回復動作で排出される廃インクの量などによっても変わってくる。しかし、一般的に使われている廃インクチューブの材質やチューブ内径は、限定されており、一回当たりの回復動作で排出される廃インクの量も一般的には所定の範囲内である。
【００４０】
なお、本実施形態における貧溶媒とは、「判定しようとする溶媒５０質量％程度を含み、且つインクに用いる色材を分散状態で含む顔料分散液を、６０℃で、４８時間保存したときの当該液体中の粒子径が、判定しようとする溶媒を含まない、もしくは少量含み、かつ当該インクに用いる水不溶性色材を分散状態で含む顔料分散液の粒径と比較して大きい」とういう特性を示す溶媒である。また、良溶媒とは、貧溶媒以外の特性を示す溶媒である。
【００４１】
第１と第２のインクが接触した際、両液体の廃インク吸収体中への拡散または移動を阻害してしまう第２のインクの例を示す。例えば、記録媒体上でのブリードをより緩和させることを目的として、第２のインク中に、第１のインク中に含まれる顔料に対する貧溶媒となる溶剤を含有させた場合である。さらには、色材として端部にベンゼン環（疎水部が大半出あれば、一部が親水部を有していても良い）を有する構造をもつ色材を少なくとも色材として有するインク等が挙げられる。端部にベンゼン環を有する構造をもつ色材は、一般的に顔料へ吸着しやすい性質を持つ。このことから、顔料の分散安定性を阻害することから、第１及び第２のインク由来の廃インクが廃インク吸収体で接触した場合、廃インク吸収体中への拡散又は移動を阻害する障壁を構成しやすくなる。
【００４２】
更に、第１のインクと第２のインクが以下の関係にある場合も、各インクに由来する廃インクの導入位置を上記のように規定する必要がある。具体的には、両インクを混ぜて粘度を測定した場合に、その粘度が核インク単独の粘度のいずれよりも高くなる関係にある第１のインクと第２のインクが挙げられる。
【００４３】
第１及び第２のインクに由来する廃インクが廃インク吸収体で接触した場合、廃インク吸収体中への拡散または移動を阻害する障壁を構成しやすくなる第２の色材の具体的として以下の構造式（１）、構造式（２）で示す色材が挙げられる。
【００４４】
構造式（１）
【００４５】
【化１】
2009072970.tif 000003
【００４６】
（構造式（１）中、Ｒ1は、水素原子、アルキル基、ヒドロキシ低級アルキル基、シクロヘキシル基、モノもしくはジアルキルアミノアルキル基、またはシアノ低級アルキル基を示し、Ｙは、塩素原子、ヒドロキシル基、アミノ基、またはモノもしくはジアルキルアミノ基（アルキル基上にスルホ基、カルボキシル基、およびヒドロキシル基からなる群から選択される置換基を有していてもよい）を示し、Ｒ2、Ｒ3、Ｒ4、Ｒ5、Ｒ6は、それぞれ独立して水素原子、炭素数１〜８のアルキル基、またはカルボキシル基（但し、Ｒ2、Ｒ3、Ｒ4、Ｒ5、Ｒ6のすべてが水素原子である場合を除く。）を示す。）構造式（１）で表される化合物の具体例としては、遊離酸の形で下記の構造となる例示化合物が挙げられ、特にＭ７の例示化合物が好ましく用いられる。
【００４７】
【化２】
2009072970.tif 000004
【００４８】
構造式（２）
【００４９】
【化３】
2009072970.tif 000005
【００５０】
（構造式（２）中、ｌ＝０〜２、ｍ＝１〜３、ｎ＝１〜３、但し、ｌ＋ｍ＋ｎ＝３〜４であり、置換基の置換位置は、４もしくは４’位を表し、Ｍはアルカリ金属またはアンモニウムを示し、Ｒ1、Ｒ2は、それぞれ独立に水素原子、スルホ基、またはカルボキシル基（但し、Ｒ1、Ｒ2は、同時に水素原子となる場合を除く。）を示し、Ｙは、塩素原子、ヒドロキシル基、アミノ基、またはモノもしくはジアルキルアミノ基を示す。）
構造式（２）で示す色材は４−スルホフタル酸誘導体又は、４−スルホフタル酸誘導体と（無水）フタル酸誘導体を金属化合物の存在下に反応させる事で得られるフタロシアニン化合物を原料に用い、スルホン基をクロロスルホン基に変換した後、有機アミン存在下にアミノ化剤を反応させたフタロシアニン化合物、すなわち、構造式（２）中の４及び４’位置（構造式（２）中のＲ2、Ｒ3、Ｒ6、Ｒ7、Ｒ10、Ｒ11、Ｒ14、Ｒ15）に限定して無置換スルファモイル基（−ＳＯ2ＮＨ2）と置換スルファモイル基（下記構造式（３））を導入したフタロシアニン化合物であるという特徴を持ち、かかる化合物を色材として用いたインクが極めて耐環境ガス性が優れている事を見出した。
【００５１】
構造式（３）
【００５２】
【化４】
2009072970.tif 000006
構造式（３）で表される化合物の具体例としては、遊離酸の形で下記の構造となる例示化合物が挙げられ、特にＣ１の例示化合物が好ましく用いられる。
【００５３】
【化５】
2009072970.tif 000007
【００５４】
上記のような特性を有する第１のインク及び、第２のインクを用いることで、ブリード性能を従来のインクに比べ格段に向上させることが可能となる。
【００５５】
（ブラックインク用顔料分散体の作製）
５．５ｇの水に５ｇの濃塩酸を溶かした溶液に、５℃に冷却した状態で４−アミノ−１，２−ベンゼンジカルボン酸１．５ｇを加えた。次に、この溶液の入った容器をアイスバスに入れて液を撹拌することにより溶液を常に１０℃以下に保った状態とし、これに５℃の水９ｇに亜硝酸ナトリウム１．８ｇを溶かした溶液を加えた。この溶液を更に１５分間撹拌後、比表面積が２２０ｍ2／ｇでＤＢＰ吸油量が１０５ｍＬ／１００ｇであるカーボンブラック６ｇを撹拌下で加えた。その後、更に１５分間撹拌した。得られたスラリーをろ紙（商品名：標準用濾紙Ｎｏ．２；アドバンテック製）でろ過した後、粒子を十分に水洗し、１１０℃のオーブンで乾燥させ、自己分散型カーボンブラックを調製した。さらに、得られた自己分散型カーボンブラックに水を加えて顔料濃度が１０質量％となるように分散させ、分散液を調製した。上記の方法により、カーボンブラック粒子表面に−Ｃ6Ｈ3−（ＣＯＯＮａ）2基が導入されてなる自己分散型カーボンブラックが水中に分散された状態の顔料分散液を得た。
【００５６】
（インクの作製）
ブラックインク１の作製；
上記顔料分散液（３５質量部）、グリセリン（７．０質量部）、ジエチレングリコール（６質量部）、フタル酸２アンモニウム（０．５質量部）、アセチレノールＥ１００（川研ファインケミカル社製、アセチレングリコールのエチレンオキサイド付加物）（０．２質量部）、および水（４５．３質量部）を混合し、１時間攪拌した。その後、フィルター（富士フィルム製  ＦＲ２０）で加圧ろ過し、ブラックインク１を調製した。ブラックインク１の２５℃における粘度は２．３ｍＰａ・ｓであった。
【００５７】
イエローインク１の作製；
Ｃ．Ｉ．ダイレクトイエロー１３２（４質量部）、グリセリン（７質量部）、ポリエチレングリコール６００（４質量部）、２−ピロリドン（５質量部）、アセチレノールＥ１００（川研ファインケミカル社製、アセチレングリコールのエチレンオキサイド付加物）（１質量部）、および水（７９質量部）を混合し、１時間攪拌した。その後、フィルター（富士フィルム製  ＦＲ２０）で加圧ろ過し、イエローインク１を調製した。イエローインク１の２５℃における粘度は２．０ｍＰａ・ｓであった。
【００５８】
（混合インクの粘度）
上記、ブラックインク１とイエローインク１とを１：１で混合し、十分攪拌した。その後、その混合液の２５℃における粘度を測定したところ、３．０ｍＰａ・ｓであり、２つのインクを混合することで、増粘していることがわかった。
【００５９】
（３）インクジェット記録ヘッドの回復方法
次に、本発明のインクジェット記録ヘッドの回復方法について、図３を用いて説明する。
【００６０】
図３は本実施形態におけるインクジェット記録ヘッドの回復方法を示すフローチャートである。まず、所定のタイミングでキャップ内部に予備吐出が行われる（ステップＳ１）。次に、その予備吐出をしたインクの色がブラックインクとカラーインクの両方であるか否か、をインクジェット記録装置内のＲＡＭ２０２に格納されているデータを参照して、ＣＰＵ２００などを用いて判断する（ステップＳ２）。ステップS１で行なわれた予備吐出がブラックインクとカラーインクの両方であると判定されると、ステップS１０に進む。すなわち、本実施形態におけるブラックインクとカラーインクの双方がキャップ内に予備吐出されると、予備吐出されたインクが早期に増粘し固着しやすい。したがって、この場合には、ステップＳ１０に進み、記憶した予備吐出回数をリセットし、ステップＳ１１に進む。そして、キャップ内をポンプにより所定時間吸引回復を行なう。
【００６１】
ブラックインクとカラーインクの一方が予備吐出されたと判定されると、ステップS３に進む。ステップS３では、予備吐出をしたインクの色がブラックインクであるか否かを記録装置内のＲＡＭ２０２記憶されているデータを参照して判断する（Ｓ５）。
【００６２】
判定する（ステップＳ３）。予備吐出を行なったインクの色がブラックである場合にはステップＳ４に進み、予備吐出を行なったインクの色がカラーである場合にはステップＳ７に進む。
【００６３】
ステップＳ３の後、ステップS４およびＳ７はそれぞれ、予備吐出した色と予備吐出を行なった回数をインクジェット記録装置内のＲＡＭ２０２に記憶する。
【００６４】
次に、ステップＳ３で予備吐出されたインクがブラックであると判断された場合、前回の予備吐出のインクの色が今回の予備吐出のインク色と同じブラックであるか否かを判断する（ステップＳ５）。前回の予備吐出のインクの色が今回の予備吐出のインク色と同じブラックでなかった場合、すなわち、カラーであった場合には、ブラックインクとカラーインクの双方がキャップ内に予備吐出されている状態である。したがって、予備吐出されたインクが早期に増粘し固着しやすい。したがって、この場合には、ステップＳ１０に進み、記憶した予備吐出回数をリセットし、ステップＳ１１に進む。そして、キャップ内をポンプにより所定時間吸引回復を行なう。
【００６５】
ステップＳ５において、前回の予備吐出のインクの色が今回の予備吐出のインク色と同じブラックであった場合には、ステップS６では、ブラックインクの累積の予備吐出回数Ｎ（累積回数）が、予め定められた所定回数Ｎ１を超えているかどうかを判断する。ブラックインクの予備吐所定回数Ｎ１は、ＲＯＭ２０１に予め書き込まれており、キャップ内のインクが溢れる量よりも少ない値である。ブラックインクの累積の予備吐出回数Ｎ（累積回数）が、予め定められた所定回数Ｎ１を超えている場合はステップS１０に進む。そして、予備吐出した色と回数をリセットする（Ｓ１０）。次に、ステップS８ではキャップ内に予備吐出されたインクを空吸引する装置（ポンプなど）により所定時間Ｔ以内に空吸引を行い（Ｓ１１）、終了する（Ｓ１２）。一方、ブラックインクの累積の予備吐出回数Ｎが、予め定められた所定回数Ｎ１を超えていない場合は、Ｓ１へ戻る。
【００６６】
ステップＳ３で予備吐出されたインクがカラーであると判断された場合、前回の予備吐出のインクの色が今回の予備吐出のインク色と同じカラーであるか否かを判断する（ステップＳ８）。前回の予備吐出のインクの色が今回の予備吐出のインク色と同じカラーでなかった場合、すなわち、ブラックであった場合には、ブラックインクとカラーインクの双方がキャップ内に予備吐出されている状態である。したがって、予備吐出されたインクが早期に増粘し固着しやすい。したがって、この場合には、ステップＳ１０に進み、記憶した予備吐出回数をリセットし、ステップＳ１１に進む。そして、キャップ内をポンプにより所定時間吸引回復を行なう。
【００６７】
ステップＳ８において、前回の予備吐出のインクの色が今回の予備吐出のインク色と同じカラーであった場合には、ステップS９では、カラーインクの累積の予備吐出回数Ｍ（累積回数）が、予め定められた所定回数Ｍ１を超えているかどうかを判断する。カラーインクの予備吐所定回数Ｍ１は、ＲＯＭ２０１に予め書き込まれており、キャップ内のインクが溢れる量よりも少ない値である。カラーインクの累積の予備吐出回数Ｍ（累積回数）が、予め定められた所定回数Ｍ１を超えている場合はステップS１０に進む。そして、予備吐出した色と回数をリセットする（Ｓ１０）。次に、ステップS１１ではキャップ内に予備吐出されたインクを空吸引する装置（ポンプなど）により所定時間Ｔ以内に空吸引を行い（Ｓ１１）、終了する（Ｓ１２）。一方、カラーインクの累積の予備吐出回数Ｍが、予め定められた所定回数Ｍ１を超えていない場合は、Ｓ１へ戻る。
【００６８】
なお所定時間Ｔは、予備吐出されたブラックインクとカラーインクが混合されても増粘を起こさないような時間に設定されており、ＲＯＭ２０１に予め書き込まれている。
【００６９】
以上により、相反応するインクによる予備吐出が同時期に行なわれたか、またはキャップ内に反応する状態で残存しているかを判断して一定の場合にキャップ内を空吸引してキャップ内に残存するインクを除去する。これにより、吸引回復後にキャップ内に残存する混合インクは極僅かであり乾燥した場合でもインクが増粘、堆積して吸引性能低下や吐出不良を引き起こすまでには至らないようにしている。したがって、相反応するインクを同一のキャップに予備吐出させた場合でも、増粘・固着を防止することができる。
【００７０】
（その他）
第１実施形態では、ブラックインクとカラーインクが同時期に予備吐出される場合について述べた。しかしながら本発明は、ある時間を置くと増粘・固着するような２以上のインクを使用した記録装置であれば適用することができる。すなわち、例えば、染料ブラックと顔料ブラックとを使用する記録装置である場合には、これらが同時期に行なわれ、またはキャップ内に反応する状態でインクが残存しているかを判断して一定の場合にキャップ内を吸引回復することができる。
【図面の簡単な説明】
【００７１】
【図１】本発明の実施形態におけるインクジェット記録装置の構成を示す斜視図である。
【図２】本発明の実施形態におけるインクジェット記録装置の制御構成を示すブロック図である。
【図３】本発明の実施形態における記録ヘッドの回復方法を示すフローチャートである。
【図４】従来の記録ヘッドの例を示す模式図である。
【図５】従来のインクジェット記録装置のヘッドの回復装置を示す模式図である。
【符号の説明】
【００７２】
１    記録装置
２    キャリッジ
３    記録ヘッド
４    伝達機構
５    給紙機構
６    インクカートリッジ
７    吸引チューブ
８    キャップ
９    キャップ吸収部材
１０     回復装置
１１    キャッピング機構
１２    ワイピング機構
１３    ブラックインク吐出口列
１４    イエローインク吐出口列
１５    マゼンタインク吐出口列
１６    シアンインク吐出口列
１７    吐出口面
２００    ＣＰＵ
２０１    ＲＯＭ
２０２    ＲＡＭ
２１    ＰＦモータ
３１    キャリッジモータ
７１    ヒータ
【図１】
2009072970.tif 000008
【図２】
2009072970.tif 000009
【図３】
2009072970.tif 000010
【図４】
2009072970.tif 000011
【図５】
2009072970.tif 000012